(57)【要約】  【課題】転写具を用いて長尺杆に糊を転写させる際に、糊を確実に長尺杆の軸心方向に沿って転写させる。  【解決手段】転写装置に、長尺杆Ｒに糊を転写するためのテープを順次転写ヘッドの先端に持ち来す転写具１と、この転写具１の転写ヘッド１２に対して前記長尺杆Ｒを軸心方向に相対移動させるべく案内するためのガイド部材たるガイドローラ３とを具備してなる構成を採用する。  【選択図】図１
2008265034.tif 000002
【特許請求の範囲】
【請求項１】
長尺杆に糊を転写するためのテープを順次転写ヘッドの先端に持ち来す転写具と、この転写具の転写ヘッドに対して前記長尺杆を軸心方向に相対移動させるべく案内するためのガイド部材とを具備してなることを特徴とする転写装置。
【請求項２】
長尺杆に糊を転写するためのテープを順次転写ヘッドの先端に持ち来す転写具と、この転写具を挿脱可能に保持する基体と、この基体から離間して設けられこの転写具の転写ヘッドに対して前記長尺杆を軸心方向に相対移動させるべく案内するためのガイド部材とを具備してなることを特徴とする転写装置。
【請求項３】
前記ガイド部材と前記転写ヘッドとが互いに接離可能であるとともに、前記ガイド部材と前記転写ヘッドとの間に長尺杆を挟持可能な構成を有することを特徴とする請求項２記載の転写装置。
【請求項４】
前記ガイド部材と前記転写ヘッドとの相対位置をねじ送り機構により接離させることが可能な進退機構を具備することを特徴とする請求項３記載の転写装置。
【請求項５】
前記ガイド部材と前記転写ヘッドとの間の空間を前記長尺杆の径方向に開放可能な構成を有することを特徴とする請求項３又は４記載の転写装置。
【請求項６】
前記基体が、前記ガイド部材を支持するベース部材と、このベース部材に昇降可能に支持されているとともに転写具を支持してなる転写具支持体とを具備することを特徴とする請求項２、３又は４記載の転写装置。
【請求項７】
前記転写具支持体を前記ベース部材に枢支させていることを特徴とする請求項６記載の転写装置。
【請求項８】
前記転写ヘッドに対応する幅方向位置に、長尺杆を内部に配置可能であるとともに長尺杆を移動させるべき方向に延伸する凹溝を有するセンター決め部材をさらに具備することを特徴とする請求項２、３、４、５、６又は７記載の転写装置。
【請求項９】
前記ガイド部材が、前記転写ヘッドとの間に長尺杆を位置させてなるガイドローラであることを特徴とする請求項１、２、３、４、５、６、７又は８記載の転写装置。
【請求項１０】
前記ガイドローラを、回転軸心がＶ字状ないしＵ字状をなす形状に複数設けていることを特徴とする請求項９記載の転写装置。
【請求項１１】
前記ガイド部材が、１対のガイド要素をそれぞれ長尺杆に当接させてなるサイドガイドであることを特徴とする請求項１、２、３、４、５、６、７又は８記載の転写装置。
【請求項１２】
前記ガイド部材が、前記１対のガイド要素間の距離を変更可能にこれらガイド要素を保持する接離機構を具備することを特徴とする請求項１１記載の転写装置。
【請求項１３】
前記１対のガイド要素間の距離を一端から他端に向かい漸次増大させて前記ガイド部材を形成していることを特徴とする請求項１１記載の転写装置。
【発明の詳細な説明】
【技術分野】
【０００１】
本発明は、長尺杆に糊を転写するための転写装置に関する。
【背景技術】
【０００２】
従来、接着剤を塗布すべく用いられる転写装置が種々考えられてきている。その一例として、本体と転写ヘッドとを備え、本体の内部に繰り出しリール及び巻き取りリールを有するとともに、糊を付着させてなるテープを繰り出しリールから繰り出し、このテープを転写ヘッドを経由して巻取リールに巻き取らせる構成を有するとともに、前記転写ヘッドにおいてテープを接着対象物に当接させて糊を転写する構成を有する転写具が考えられている（例えば、特許文献１、２を参照）。
【特許文献１】特開２００５−１９３４１０号公報
【特許文献２】特開２００４−１７４８７１号公報
【発明の開示】
【発明が解決しようとする課題】
【０００３】
ところで、長尺杆の側面にラベルを貼付する際には、長尺杆の側面の一部位にこのような転写具を介して糊を転写し、糊を転写した部位にラベルの一端面を接着してラベルを巻き付ける工程が用いられている。しかし、特許文献１記載の転写具等、従来の転写具では、必ずしも長尺杆の長手方向に沿って糊を転写できるとは限らず、糊の転写に失敗して糊を空費するとともに、糊の塗布し直しの手間がかかる、あるいは長尺杆を廃棄することにより製造歩留まりが悪化するという不具合が発生しうる。
【０００４】
本発明は、以上に述べた課題を解決すべく構成するものである。
【課題を解決するための手段】
【０００５】
すなわち、本発明に係る転写装置の一つは、長尺杆に糊を転写するためのテープを順次転写ヘッドの先端に持ち来す転写具と、この転写具の転写ヘッドに対して前記長尺杆を軸心方向に相対移動させるべく案内するためのガイド部材とを具備してなることを特徴とする。
【０００６】
また、本発明に係る転写装置の他の一つは、長尺杆に糊を転写するためのテープを順次転写ヘッドの先端に持ち来す転写具と、この転写具を挿脱可能に保持する基体と、この基体から離間して設けられこの転写具の転写ヘッドに対して前記長尺杆を軸心方向に相対移動させるべく案内するためのガイド部材とを具備してなることを特徴とする。
【０００７】
これらのようなものであれば、ガイド部材により長尺杆を軸心方向に相対移動させるべく案内し、糊を確実に長尺杆の軸心方向に沿って転写させることができる。
【０００８】
長尺杆の移動方向をさらに確実に案内させるようにするための構成の一例として、前記ガイド部材と前記転写ヘッドとが互いに接離可能であるとともに、前記ガイド部材と前記転写ヘッドとの間に長尺杆を挟持可能な構成を有するものが挙げられる。このようなものであれば、前記ガイド部材と前記転写ヘッドとにより長尺杆を挟持し、より安定して転写ヘッドの長尺杆に対する位置決めを行うことができるからである。
【０００９】
長尺杆の径を問わず前記ガイド部材と前記転写ヘッドとにより長尺杆を確実に挟持するための構成として、前記ガイド部材と前記転写ヘッドとの相対位置をねじ送り機構により接離させることが可能な進退機構を具備するものが挙げられる。このようなものであれば、前記相対距離をねじ送り機構により接離させることにより、前記相対距離が長尺杆の径と略一致するよう調整できるからである。
【００１０】
長尺杆への糊付け作業をさらに容易に行わせる態様として、前記ガイド部材と前記転写ヘッドとの間の空間を前記長尺杆の径方向に開放可能な構成を有するものが挙げられる。このようなものであれば、端部に鍔部を有する長尺杆であっても、鍔部の挿入の際に転写ヘッドとガイド部材との相対距離を鍔部を挿入可能な大きさに調節し、鍔部の挿入が終了した後転写ヘッドとガイド部材との相対距離を再度調節するという二度手間を強いることなく、前記空間を前記長尺杆の径方向に開放することにより長尺杆を側方から前記空間に挿入できるからである。
【００１１】
一方、長尺杆への糊付け作業をさらに容易に行わせる態様として、前記基体が、前記ガイド部材を支持するベース部材と、このベース部材に昇降可能に支持されているとともに転写具を支持してなる転写具支持体とを具備するものも挙げられる。このようなものであれば、まず長尺杆を前記ガイド部材に当接させ、次いで転写具支持体を昇降させて転写具の転写ヘッドを長尺杆に当接させる作業によりガイド部材と転写ヘッドとの距離を確実に長尺杆の径に対応させることができるからである。
【００１２】
もっとも簡単な構成により前段で述べたような転写装置を実現するための態様の一つとして、前記転写具支持体を前記ベース部材に枢支させているものが挙げられる。
【００１３】
ここで、長尺杆の移動方向を該長尺杆の軸心方向に確実にガイドさせるための構成として、前記ガイド部材が、前記転写ヘッドとの間に長尺杆を位置させてなるガイドローラであるものが挙げられる。このようなものであれば、このガイドローラの転動方向を該長尺杆の軸心方向に沿わせることにより、長尺杆の移動方向を該長尺杆の軸心方向にガイドできるからである。
【００１４】
前段に述べた構成においてさらに確実に長尺杆の移動方向を該長尺杆の軸心方向にガイドさせるための構成として、前記ガイドローラを、回転軸心がＶ字状ないしＵ字状をなす形状に複数設けているものが挙げられる。このようなものであれば、複数のガイドローラがＶ字状ないしＵ字状をなす谷間の部位に長尺杆を位置させることにより、長尺杆の幅方向の位置決めが可能であるからである。
【００１５】
また、確実に長尺杆の移動方向を該長尺杆の軸心方向にガイドさせるための他の構成として、前記転写ヘッドに対応する幅方向位置に、長尺杆を内部に配置可能であるとともに長尺杆を移動させるべき方向に延伸する凹溝を有するセンター決め部材をさらに具備するものが挙げられる。このようなものであれば、凹溝内部に長尺杆を配することにより、長尺杆を転写ヘッドに確実に当接させることができる効果も得られる。
【００１６】
一方、長尺杆の移動方向を該長尺杆の軸心方向に確実にガイドさせるための他の構成として、前記ガイド部材が、１対のガイド要素をそれぞれ長尺杆に当接させてなるサイドガイドであるものが挙げられる。
【００１７】
特に、前記ガイド部材が、前記１対のガイド要素間の距離を変更可能にこれらガイド要素を保持する接離機構を具備するものや、前記１対のガイド要素間の距離を一端から他端に向かい漸次増大させて前記ガイド部材を形成しているものであれば、前記１対のガイド要素がいずれも長尺杆に当接するようにガイド要素間の距離を設定する、あるいは前記１対のガイド要素がいずれも長尺杆に当接する位置に長尺杆を配することにより、種々の径の長尺杆の移動方向のガイドを行うことができる。
【発明の効果】
【００１８】
本発明に係る転写装置の構成によれば、ガイド部材により長尺杆を軸心方向に相対移動させるべく案内し、糊を確実に長尺杆の軸心方向に沿って転写させることができる。
【発明を実施するための最良の形態】
【００１９】
以下、本発明の第一実施形態について図面を参照して説明する。
【００２０】
本実施形態に係る転写装置Ｔ１は、図１に全体斜視図、図２に側面図、図３に正面図、図４に要部の拡大図をそれぞれ示すように、長尺杆Ｒに糊を転写するための転写テープを順次転写ヘッドの先端に持ち来す転写具１と、この転写具１を挿脱可能に保持する基体２と、この基体２から離間して設けられこの転写具１の転写ヘッドに対して前記長尺杆Ｒを軸心方向に相対移動させるべく案内するためのガイド部材たるガイドローラ３と、このガイドローラを支持するガイドローラ支持部４とを具備する。
【００２１】
前記転写具１は、従来の転写具として周知のものと同様の構成を有する。すなわち、内部に転写テープを備えた転写具本体１１と、長尺杆Ｒとの間にこの転写具本体１１から繰り出された転写テープを位置させるための転写ヘッド１２とを具備する。以下、図示は省略するが、前記転写具本体１１は、その内部に繰り出しリールと、巻取リールと、これら繰り出しリール及び巻取リールとの間に設けられ繰り出しリールの回転力を巻取リールに伝達する動力伝達機構とを有する周知の構成を有する。一方、前記転写ヘッド１２は、その先端に回転ロールを有する。そして、前記繰り出しリールから繰り出された転写テープは、この回転ロールを経由して巻取リールに巻き取られる。ここで、繰り出しリールの回転力は、転写テープから糊を転写すべく転写テープを繰り出させる作用が転写テープを介して伝達されるものである。
【００２２】
前記基体２は、ベース２１と、このベース２１の上方に設けられ、内部に前記転写具１を保持する転写具保持部２２とを具備する。前記ベース２１は、載置面に接する板状の接地部材２１１と、この接地部材２１１から左右１対に起立して設けた起立部材２１２とを有する。一方、前記転写具保持部２２はさらに、前記ベース２１の起立部材２１２間に設けられ内部に転写具を収納可能な転写具収納空間を有する保持枠体２２１と、前記転写具収納空間を閉塞する閉塞位置と前記転写具収納空間を開放する開成位置との間で移動可能な蓋体２２２とを有する。そして、前記転写具１は、この転写具保持部２２により、前記転写ヘッド１２が上方を向く姿勢で保持されるようにしている。
【００２３】
前記ガイドローラ３は、本実施形態では左右１対に設けられ、回転軸心が逆Ｖ字形をなすように配置している。
【００２４】
前記ガイドローラ支持部４は、前記ガイドローラ３を保持するローラ保持部材４１と、このローラ保持部材４１を基体２に接続する接続部４２とを具備する。前記ローラ保持部材４１は、本実施形態では略板状をなし、前記左右１対のガイドローラ３を上述したように回転軸心が逆Ｖ字形をなす状態に保持している。前記接続部４２は、前記基体２から左右１対に起立させて設けた支柱４２１と、支柱４２１の上端間を接続している横架部４２２と、前記ローラ保持部材４１を昇降可能に保持するねじ送り機構である進退機構４２３とを具備する。この進退機構４２３は、前記ローラ保持部材４１の上方に設けた雄ネジ部４２３ａと、前記雄ネジ部４２３ａと螺合可能な雌ネジ部４２３ｘとを有する。また、前記雄ネジ部４２３ａの上端には、この雄ネジ部４２３ａに対する操作力を受け付ける操作部たる操作摘み４２３ｂを設けている。
【００２５】
また、本実施形態では、ベース２１は、この転写装置Ｔ１の他の部位に対して着脱可能である。具体的には、前記図３に示すように、固定手段たる雄ねじ部材２１３を介して前記転写具保持部２２と接続するようにしていて、この雄ねじ部材２１３を取り外すことによりベース２１をこの転写装置Ｔ１の他の部位から離脱可能にしている。このベース２１を取り外した状態の側面図を図５、正面図を図６にそれぞれ示す。そして、ベース２１を取り外した状態で、この転写装置Ｔ１を把持して使用することを可能にしている。
【００２６】
さらに本実施形態では、図示はしないが、前記ガイドローラ３、３の手前に設けた上補助ローラ、及び前記転写ローラ１２の手前に設けた下補助ローラを有する補助ローラ部を備えている。前記上補助ローラは、前記ガイドローラ支持部４の横架部４２２の下方に２個支持させるようにしていて、これら２個の上補助ローラが、前記ガイドローラ３、３と同様に、回転軸心が逆Ｖ字形をなすようにしている。また、これら２個の上補助ローラは、幅方向位置及び高さ方向位置を前記ガイドローラ３、３と一致させて設けている。一方、前記下補助ローラは、幅方向位置及び高さ方向位置を前記転写ヘッド１２と略一致させた状態で１個設けている。
【００２７】
この転写装置Ｔ１を用いて長尺杆Ｒに糊を転写する際の操作を以下に示す。
【００２８】
まず、ガイドローラ３と転写ヘッド１２との間の空間に長尺杆Ｒを配置する。ここで、長尺杆Ｒが前記空間に入らない場合には、前記操作摘み４２３ｂに対して操作を加え、ガイドローラ３を上昇させてガイドローラ３と転写ヘッド１２との間の距離を長尺杆Ｒの径以上にする。それから、ガイドローラ３を、長尺杆Ｒに当接する位置まで下降させる。それから、長尺杆Ｒを軸心方向に移動させると、転写ヘッドにテープが順次繰り出され、糊が順次転写される。その際、前記ガイドローラ３が長尺杆Ｒに当接した状態で回転し、長尺杆Ｒを軸心方向に向けて移動させるべくガイドする。
【００２９】
本実施形態に係る構成によれば、長尺杆Ｒに糊を転写するためのテープを順次転写ヘッド１２の先端に持ち来す転写具１と、この転写具１を挿脱可能に保持する基体２と、この基体２から離間して設けられこの転写具の転写ヘッドに対して前記長尺杆を軸心方向に相対移動させるべく案内するためのガイド部材たるガイドローラ３とを具備してなるので、ガイドローラ３により長尺杆Ｒを軸心方向に相対移動させるべく案内し、糊を確実に長尺杆Ｒの軸心方向に沿って転写させることができる。
【００３０】
さらに、前記ガイドローラ３と前記転写ヘッド１２とが互いに接離可能であるとともに、前記ガイドローラ３と前記転写ヘッド１２との間に長尺杆Ｒを挟持可能であるので、前記ガイドローラ３と前記転写ヘッド１２とにより長尺杆Ｒを挟持し、より安定して転写ヘッド１２の長尺杆Ｒに対する位置決めを行うことができ、従って長尺杆Ｒの移動方向をさらに確実に案内させることができる。
【００３１】
加えて、前記ガイドローラ３と前記転写ヘッド１２との相対位置をねじ送り機構により接離させることが可能な進退機構４２３を具備するので、前記相対距離を進退機構４２３により変更させることにより、前記相対距離が長尺杆Ｒの径と略一致するよう調整することができ、従って、長尺杆Ｒの径を問わず前記ガイドローラ３と前記転写ヘッド１２とにより長尺杆Ｒを確実に挟持することができる。
【００３２】
さらに、前記転写ヘッド１２との間に長尺杆Ｒを位置させてなるガイドローラ３をガイド部材としているので、このガイドローラ３の転動方向を該長尺杆Ｒの軸心方向に沿わせることにより、長尺杆Ｒの移動方向を該長尺杆Ｒの軸心方向にガイドでき、長尺杆Ｒの移動方向を該長尺杆Ｒの軸心方向に確実にガイドさせることができる。
【００３３】
そして、前記ガイドローラ３を、回転軸心がＶ字状又は逆Ｖ字状をなす形状で２個設けているので、２個のガイドローラ３、３間に長尺杆Ｒを位置させることにより、長尺杆Ｒの幅方向の位置決めが可能となり、さらに確実に長尺杆Ｒの移動方向を該長尺杆Ｒの軸心方向にガイドさせることができる。
【００３４】
また、この第一実施形態の変形として、以下に述べるようなものが挙げられる。この態様に係る転写装置Ｔ１１の上述した転写装置Ｔ１との相違点を以下に述べる。この転写装置Ｔ１１は、図７に正面図を示すように、前記接続部４２の支柱４２１を、上要素４２１ａと下要素４２１ｂとに分割している。一方の支柱４２１では、これら上要素４２１ａと下要素４２１ｂとを、枢着軸４２１ｘで枢着している。他方の支柱４２１には、これら上要素４２１ａと下要素４２１ｂとの一方、具体的には上要素４２１ａに設けた突起４４１と他方すなわち下要素４２１ｂに設けた係合凹部（図示略）とを係合させてなる係合部４４、及び前記係合部４４の係合状態を解除する操作を受け付け前記係合突起４４１を駆動する係合解除機構４５を設けている。前記係合解除機構４５は、係合状態を解除する操作を受け付ける操作ボタン４５１と、この操作ボタン４５１と前記突起４４１とを接続する連動機構（図示略）とを有する。
【００３５】
加えて、この態様に係る転写装置Ｔ１１は、長尺杆Ｒの幅方向の位置決めを行うセンター決め部材５をさらに有する。前記センター決め部材５は、長尺杆Ｒの両方側端にそれぞれ当接させてなる１対の当接部材５１、５１と、これら１対の当接部材５１、５１間の距離を変更させるべくこれら１対の当接部材５１、５１を連動して移動させる接離機構５２とを有する。この接離機構５２は、前記当接部材５１、５１間の中間位置が前記転写ヘッドの幅方向中間位置と一致した状態を保たせつつ前記当接部材５１、５１を接離させる。
【００３６】
この転写装置Ｔ１１を用いて長尺杆Ｒに糊を転写する際の操作を以下に示す。
【００３７】
まず、操作ボタン４５１に操作を加えて前記係合部４４の係合状態を解除し、図８に示すように、前記枢着軸４２１ｘを回動中心として前記ガイドローラ支持部４の上部を移動させ、ガイドローラ３と転写ヘッド１２との間の空間を側方に開放する。次いで、この空間に長尺杆Ｒを配置し、前記接離機構５の当接部材５１、５１間に長尺杆Ｒを載置する。その後、ガイドローラ支持部４を前記図７に示すような状態に戻す。それから、接離機構５の当接部材５１、５１を相寄らせて長尺杆Ｒにそれぞれ当接させる。その後、ガイドローラ３を、長尺杆Ｒに当接する位置まで下降させる。それから、長尺杆Ｒを軸心方向に移動させると、転写ヘッド１２にテープが順次繰り出され、糊が順次転写される。その際、前記ガイドローラ３が長尺杆Ｒに当接した状態で回転し、長尺杆Ｒを軸心方向に向けて移動させるべくガイドする。
【００３８】
この態様を採用すれば、前記ガイドローラ３と前記転写ヘッド１２との間の空間を前記長尺杆Ｒの径方向、より具体的には側方に開放可能であるので、端部に鍔部を有する長尺杆であっても、鍔部の挿入の際に転写ヘッド１２とガイドローラ３との相対距離を鍔部を挿入可能な大きさに調節し、鍔部の挿入が終了した後転写ヘッド１２とガイドローラ３との相対距離を再度調節するという二度手間を強いることなく、前記空間を前記長尺杆Ｒの径方向に開放することにより長尺杆Ｒを側方から前記空間に挿入でき、従って、長尺杆Ｒへの糊付け作業をさらに容易に行うことができる。
【００３９】
さらに、前記第一実施形態の他の変形として、以下に述べるようなものが挙げられる。この態様に係る転写装置Ｔ１２の上述した転写装置Ｔ１との相違点を以下に述べる。この転写装置Ｔ１２は、図９に正面図、図１０に側面図をそれぞれ示すように、前記接続部４２の支柱４２１を、上要素４２１ａと下要素４２１ｂとに分割している。一方の支柱４２１では、これら上要素４２１ａと下要素４２１ｂとを、枢着軸４２１ｘで枢着している。他方の支柱４２１には、これら上要素４２１ａと下要素４２１ｂとの一方、具体的には上要素４２１ａに設けた突起４４１と他方すなわち下要素４２１ｂに設けた係合凹部（図示略）とを係合させてなる係合部４４、及び前記係合部４４の係合状態を解除する操作を受け付け前記係合突起４４１を駆動する係合解除機構４５を設けている。前記係合解除機構４５は、係合状態を解除する操作を受け付ける操作ボタン４５１と、この操作ボタン４５１と前記突起４４１とを接続する連動機構（図示略）とを有する。
【００４０】
加えて、この態様に係る転写装置Ｔ１２は、長尺杆Ｒの幅方向の位置決めを行うセンター決め部材Ｘ５と、長尺杆Ｒの糊付けを行うべき位置の前端及び後端の位置決めを行うガイド補助部材６とをさらに有する。前記センター決め部材Ｘ５は、中央部に凹溝Ｘ５ｘを有するセンター決め板Ｘ５１と、このセンター決め板Ｘ５１と基体２とを接続するセンター決め支持部Ｘ５２とを有する。また、このセンター決め部材Ｘ５は、前記凹部Ｘ５ｘ内に長尺杆Ｒを配した際に長尺杆Ｒの下端を転写ヘッド１２に当接させるように全体を配置している。また、この凹溝Ｘ５ｘは、長尺杆Ｒを移動させるべき方向に、長尺杆Ｒの位置決めができる程度、具体的には３ｍｍ〜５ｍｍにわたって延伸している。また、前記センター決め支持部Ｘ５２は、詳細な図示は省略するが、前記基体２に取り付けられ昇降可能な柱状部材と、前記センター決め板Ｘ５１を上方に付勢する付勢手段たるバネとを有する。ここで、センター決め板Ｘ５１上に長尺杆Ｒが載置されていない際、及びガイドローラ３が長尺杆Ｒに圧接していない際には、このセンター決め部材Ｘ５は前記付勢手段たるバネに上方に付勢され、前記凹溝Ｘ５ｘの下端が転写ヘッド１２より上方となるような位置、すなわち前記図９の想像線に示すような位置に配される。一方、センター決め板Ｘ５１上に長尺杆Ｒを載置しガイドローラ３を長尺杆Ｒに圧接させた際には、ガイドローラ３が長尺杆Ｒを押すことにより前記センター決め部材Ｘ５が下方に移動し、上述したように長尺杆Ｒの下端を転写ヘッド１２に当接させるべく前記図９の実線に示す位置まで移動する。一方、前記ガイド補助部材６は、前記図９及び図１０に示すように、また、図１１に概略を示すように、前記ガイドローラ３及び前記ガイドローラ保持部４１を挟んで前記センター決め部材Ｘ５と反対側に位置し、長尺杆の前端に当接する当接位置と長尺杆の下方に退避する退避位置との間で移動可能な前端決め部材６１と、この前端決め部材６１の前方に位置する後端決め部材６２と、これら前端決め部材６１及び後端決め部材６２を保持する補助部材本体６３と、前記補助部材本体６３に取り付けられ前記前端決め部材６１を前後方向に進退移動させる前端決め部材進退機構６４と、前記補助部材本体６３に取り付けられ前記後端決め部材６２を前後方向に進退移動させる後端決め部材進退機構６５と、前記補助部材本体６３に着脱可能かつ前後方向位置を変更可能に取り付けられ前記長尺杆Ｒを下方から支持する中間支持部材６６とを具備する。前記前端決め部材６１は、前記当接位置では長尺杆Ｒの前端の鍔部を当接させてなる。その一方で、長尺杆Ｒを前方に移動する際には、長尺杆Ｒの鍔部に押圧されて下方に退避するようにしている。前記前端決め部材進退機構６４及び後端決め部材進退機構６５は、ねじ送り機構を利用して前端決め部材６１及び後端決め部材６２をそれぞれ前後方向に進退させる。前記中間支持部材６６は、先端部の高さ位置が前記転写具１の転写ローラ１２に略一致する通常位置と、先端部の高さ位置が前記転写具１の転写ローラ１２よりも下方に位置する退避位置との間で移動可能であり、図示しない付勢機構により通常位置側に付勢されている。なお、前記凹溝Ｘ５ｘの長手寸法は、短いものであるほど好ましい。また、転写ヘッド１２に近接させることにより、鍔部を有する長尺杆Ｒであっても鍔部に近い位置から糊を転写させることができる。
【００４１】
この転写装置Ｔ１２を用いて長尺杆Ｒに糊を転写する際の操作を以下に示す。
【００４２】
まず、前端決め部材進退機構６４及び後端決め部材進退機構６５により、所望の塗布開始位置から所望の長さ寸法にわたって糊を転写できるようにすべく、前端決め部材６１及び後端決め部材６２の位置決めを行う。それから、操作ボタン４５１に操作を加えて前記係合部４４の係合状態を解除し、前記枢着軸４２１ｘを回動中心として前記ガイドローラ保持部４１の上部を移動させ、ガイドローラ３と転写ヘッド１２との間の空間を側方に開放する。次いで、この空間に長尺杆Ｒを配置し、センター決め部材Ｘ５の凹溝Ｘ５ｘ上に長尺杆Ｒを載置する。それから、長尺杆Ｒの前端を、前端決め部材６１に当接させる。その後、ガイドローラ３を、長尺杆Ｒに当接する位置まで下降させる。それから、長尺杆Ｒを軸心方向に移動させると、転写ヘッド１２にテープが順次繰り出され、糊が順次転写される。その際、前記ガイドローラ３が長尺杆Ｒに当接した状態で回転し、長尺杆Ｒを軸心方向に向けて移動させるべくガイドする。そして、この長尺杆Ｒを後端決め部材６２に当接するまで移動させると、長尺杆Ｒに所望の長さにわたって糊が転写される。この際、長尺杆Ｒの前端の鍔部が前記中間支持部材６６に当接すると前記中間支持部材６６は一時的に退避位置に移動し、この鍔部が前記中間支持部材６６を通過すると前記中間支持部材６６は通常位置に戻り長尺杆Ｒを下方から支持する。すなわち、この中間支持部材６６は、長尺杆Ｒを前方に移動させるにつれ長尺杆Ｒの前端部が自重などにより下方に移動することを防ぐべく長尺杆Ｒを下方から支持する。
【００４３】
この態様を採用しても、前記ガイドローラ３と前記転写ヘッド１２との間の空間を前記長尺杆Ｒの径方向、より具体的には側方に開放可能であるので、端部に鍔部を有する長尺杆であっても、鍔部の挿入の際に転写ヘッド１２とガイドローラ３との相対距離を鍔部を挿入可能な大きさに調節し、鍔部の挿入が終了した後転写ヘッド１２とガイドローラ３との相対距離を再度調節するという二度手間を強いることなく、前記空間を前記長尺杆Ｒの径方向に開放することにより長尺杆Ｒを側方から前記空間に挿入でき、従って、長尺杆Ｒへの糊付け作業をさらに容易に行うことができる。また、ガイド補助部材６に、上述したような前端決め部材６１、後端決め部材６２、前端決め部材進退機構６４、及び後端決め部材進退機構６５を備えているので、このガイド補助部材６の前端決め部材６１に長尺杆Ｒをセッティングし、後端決め部材６２まで移動させることにより、長尺杆Ｒの所望の位置に一定距離にわたって毎回確実に繰り返して糊を転写することができる。
【００４４】
次に、本発明の第二実施形態について述べる。なお、上述した第一実施形態におけるものに対応する部位には、同一の名称を付している。
【００４５】
本実施形態に係る転写装置Ｔ２は、図１２に正面図、図１３に側面図、図１４に平面図をそれぞれ示すように、長尺杆Ｒに糊を転写するためのテープを順次転写ヘッドの先端に持ち来す転写具１と、この転写具１を挿脱可能に保持する基体Ａ２と、前記長尺杆Ｒを軸心方向に相対移動させるべく案内するためのガイド部材たるガイドローラＡ３とを具備する。
【００４６】
前記転写具１は、前述した第一実施形態に係るものと全く同様の構成を有するので、詳細な説明は省略する。
【００４７】
前記基体Ａ２は、前記転写具１を側方から支持する支持部Ａ２１と、この支持部Ａ２１を基端部に枢着してなるベース部材Ａ２２と、前記ベース部材Ａ２２に設けられ支持部Ａ２１に当接してこの支持部Ａ２１の回動終端を位置決めするストッパＡ２３とを具備する。前記支持部Ａ２１は、転写具を側方から支持する転写具支持機構Ａ２１１を具備するとともに、一端部をベース部材Ａ２２に枢着し、他端部に操作力を受けてこの操作力により転写具１を昇降可能にしている。前記ベース部材Ａ２２には、前記支持部Ａ２１の回動中心を昇降させる支持部昇降機構Ａ２２１を設けている。そして、前記ストッパＡ２３も、昇降可能に構成している。
【００４８】
前記ガイドローラＡ３は、本実施形態では前記ベース部材Ａ２２の上面に左右１対に設けている。このガイドローラＡ３は、回転軸心がＶ字形をなすように配置している。
【００４９】
この転写装置を用いて長尺杆に糊を転写する際の操作を以下に示す。
【００５０】
まず、ガイドローラＡ３、Ａ３上方に長尺杆Ｒを配置する。それから、前記支持部Ａ２１の基端部がこの転写装置の載置面と水平な状態で転写具１が長尺杆Ｒに当接する位置までこの支持部Ａ２１の回動中心を昇降させ、ストッパＡ２３を昇降させ、支持部Ａ２１の回動終端において支持部Ａ２１の基端部がこの転写装置の載置面と水平な状態かつ転写具１が長尺杆Ｒに当接するよう調整を行う。その後、改めて前記転写具１を取り付けた状態の支持部Ａ２１を転写具１が長尺杆Ｒに当接する位置まで下降させる。そして、長尺杆Ｒを軸心方向に移動させると、転写ヘッド１２にテープが順次繰り出され、糊が順次長尺杆Ｒに転写される。その際、前記ガイドローラＡ３が長尺杆Ｒに当接した状態で回転し、長尺杆Ｒを軸心方向に向けて移動させるべくガイドする。
【００５１】
本実施形態に係る構成によっても、長尺杆Ｒに糊を転写するためのテープを順次転写ヘッド１２の先端に持ち来す転写具１と、この転写具１を挿脱可能に保持する基体Ａ２と、この基体Ａ２から離間して設けられこの転写具１の転写ヘッド１２に対して前記長尺杆Ｒを軸心方向に相対移動させるべく案内するためのガイド部材たるガイドローラ３とを具備してなるので、ガイドローラ３により長尺杆Ｒを軸心方向に相対移動させるべく案内し、糊を確実に長尺杆の軸心方向に沿って転写させることができる。
【００５２】
さらに、本実施形態でも、前記ガイドローラＡ３と前記転写ヘッド１２とが互いに接離可能であるとともに、前記ガイドローラＡ３と前記転写ヘッド１２との間に長尺杆Ｒを挟持可能であるので、前記ガイドローラＡ３と前記転写ヘッド１２とにより長尺杆Ｒを挟持し、より安定して転写ヘッド１２の長尺杆Ｒに対する位置決めを行うことにより、長尺杆Ｒの移動方向をさらに確実に案内させることができる。
【００５３】
また、本実施形態でも、前記転写ヘッド１２との間に長尺杆Ｒを位置させてなるガイドローラ３をガイド部材としているので、このガイドローラ３の転動方向を該長尺杆Ｒの軸心方向に沿わせることにより、長尺杆Ｒの移動方向を該長尺杆Ｒの軸心方向にガイドでき、長尺杆Ｒの移動方向を該長尺杆Ｒの軸心方向に確実にガイドさせることができる。
【００５４】
そして、前記ガイドローラＡ３を、回転軸心がＶ字状又は逆Ｖ字状をなす形状で２個設けているので、２個のガイドローラＡ３、Ａ３間に長尺杆Ｒを位置させることにより、長尺杆Ｒの幅方向の位置決めが可能となり、さらに確実に長尺杆Ｒの移動方向を該長尺杆Ｒの軸心方向にガイドさせることができる。
【００５５】
加えて、本実施形態では、前記基体Ａ２が、前記転写具１を側方から支持する支持部Ａ２１と、この支持部Ａ２１を基端部に枢着してなるベース部材Ａ２２とを具備するので、まず長尺杆Ｒを前記ガイドローラＡ３に当接させ、次いで支持部Ａ２１を昇降させて転写具１の転写ヘッド１２を長尺杆Ｒに当接させる作業によりガイドローラＡ３と転写ヘッド１２との距離を確実に長尺杆Ｒの径に対応させることができ、従って、長尺杆Ｒへの糊付け作業をさらに容易に行うことができる。
【００５６】
なお、本実施形態の変形として、以下に述べるような態様の転写装置Ｔ２１が考えられる。例えば、図１５の（ａ）に正面図、同図の（ｂ）に側面図をそれぞれ示すように、前記転写具１を着脱可能に支持する支持部ＡＡ２１、及びこの支持部ＡＡ２１を基端部に枢着してなるベース部材ＡＡ２２を有する基体ＡＡ２と、前記ベース部材ＡＡ２２に支持させてなるとともに転写具１の転写ヘッド１２との間に長尺杆Ｒを配してなるガイドローラＡＡ３とを具備し、前記基体ＡＡ２の支持部ＡＡ２１とベース部材ＡＡ２２との間に長尺杆Ｒを配した状態でこれらを相寄らせるように把持可能な態様が考えられる。
【００５７】
次に、本発明の第三実施形態について述べる。なお、上述した第一実施形態におけるものに対応する部位には、同一の名称を付している。
【００５８】
本実施形態に係る転写装置は、長尺杆Ｒに糊を転写するためのテープを順次転写ヘッドの先端に持ち来す転写具１と、この転写具１の転写ヘッド１２に対して前記長尺杆Ｒを軸心方向に相対移動させるべく案内するためのガイド部材Ｂ２とを具備する。
【００５９】
前記転写具１は、前述した第一実施形態に係るものと全く同様の構成を有するので、詳細な説明は省略する。
【００６０】
前記ガイド部材Ｂ２は、図１６に要部の拡大正面図、図１７に側面図をそれぞれ示すように、長尺杆Ｒの側端に当接させてなる１対のガイド要素Ｂ２１、Ｂ２１と、前記ガイド要素Ｂ２１を左右に移動可能に支持する接離機構たるガイド支持部Ｂ２２と、前記ガイド要素Ｂ２１、Ｂ２１間の距離を変更すべく該ガイド要素Ｂ２１を移動させるための操作力を受け付ける操作部Ｂ２３とを具備するサイドガイドである。
【００６１】
前記ガイド要素Ｂ２１は、前記転写ヘッド１２の延伸方向に直交する板状の部材であり、基端部を前記ガイド支持部Ｂ２２に支持させている。前記ガイド支持部Ｂ２２は、前記操作部Ａ２３に対する操作を受け、ねじ送り機構により前記ガイド要素Ｂ２１、Ｂ２１を互いに接離させる方向に移動させる。
【００６２】
この転写装置を用いて長尺杆に糊を転写する際の操作を以下に示す。
【００６３】
まず、ガイド要素Ｂ２１、Ｂ２１間に長尺杆Ｒを配置する。それから、左右のガイド要素Ｂ２１、Ｂ２１が長尺杆Ｒに当接するようガイド要素Ｂ２１、Ｂ２１間の距離を調節する。それから、長尺杆Ｒを軸心方向に移動させると、転写ヘッド１２にテープが順次繰り出され、糊が順次転写される。その際、前記ガイド要素Ｂ２１、Ｂ２１が長尺杆に当接した状態を保ち、長尺杆を軸心方向に向けて移動させるべくガイドする。
【００６４】
本実施形態に係る構成によっても、長尺杆Ｒに糊を転写するためのテープＴを順次転写ヘッドの先端に持ち来す転写具１と、この転写具１の転写ヘッドに対して前記長尺杆Ｒを軸心方向に相対移動させるべく案内するためのガイド部材Ｂ２とを具備してなるので、ガイド部材Ｂ２により長尺杆Ｒを軸心方向に相対移動させるべく案内し、糊を確実に長尺杆Ｒの軸心方向に沿って転写させることができる。
【００６５】
また、本実施形態では、前記ガイド部材Ｂ２が、１対のガイド要素Ｂ２１、Ｂ２１をそれぞれ長尺杆Ｒに当接させてなるサイドガイドであるので、１対のガイド要素Ｂ２１、Ｂ２１をそれぞれ長尺杆Ｒに当接させた状態で長尺杆Ｒを移動させることにより、長尺杆Ｒの移動方向を該長尺杆Ｒの軸心方向に確実にガイドさせることができる。
【００６６】
さらに本実施形態では、前記ガイド部材Ｂ２が、前記１対のガイド要素Ｂ２１、Ｂ２１間の距離を変更可能にこれらガイド要素Ｂ２１、Ｂ２１を保持する接離機構たるガイド支持部Ｂ２２を具備するので、前記１対のガイド要素Ｂ２１、Ｂ２１がいずれも長尺杆Ｒに当接するようにガイド要素Ｂ２１、Ｂ２１の距離を設定することにより、種々の径の長尺杆Ｒの移動方向のガイドを行うことができる。
【００６７】
この実施形態の変形例として、図１８に要部の拡大正面図、図１９に側面図をそれぞれ示すような転写装置Ｔ３１が考えられる。この転写装置Ｔ３１は、ガイド要素ＢＢ２１の一端部を枢着軸ＢＢ２ｘにおいて転写具１に枢着し、転写具１の側面に当接する収納位置と転写具１の転写ヘッド１２の側方に位置する使用位置との間を移動可能にしているとともに、このガイド要素ＢＢ２１を長尺杆Rに圧着させるべくガイド要素ＢＢ２１を付勢する図示しないねじりコイルばね等の付勢手段を備えるようにガイド部材ＢＢ２を構成する態様も考えられる。
【００６８】
次に、本発明の第四実施形態について述べる。
【００６９】
本実施形態に係る転写装置は、図２０に側面図、図２１に底面図をそれぞれ示すように、長尺杆Ｒに糊を転写するためのテープを順次転写ヘッドの先端に持ち来す転写具１と、この転写具１の転写ヘッドに対して前記長尺杆Ｒを軸心方向に相対移動させるべく案内するためのガイド部材Ｃ２とを具備する。
【００７０】
前記転写具１は、前述した第一実施形態に係るものと略同様の構成を有する。但し、本実施形態では、図２２に示すように、転写ヘッド１２近傍に案内突起１ｔを所定ピッチで複数設けている。
【００７１】
前記ガイド部材Ｃ２は、長尺杆Ｒの側端に当接させてなるとともに前記転写具に支持させてなるガイド部たる１対のガイド要素Ｃ２１、Ｃ２１を具備する。各ガイド要素Ｃ２１は、前記転写具１の案内突起１ｔを収納可能な案内溝Ｃ２１１ｍ、及びこの案内溝Ｃ２１１ｍ内に設けてなり前記案内突起１ｔに凹凸係合可能な案内凹部Ｃ２１１ａを所定ピッチで複数設けてなる転写具案内部Ｃ２１１と、この転写具案内部Ｃ２１１に連接され長尺杆Ｒの側端に当接させてなるガイド要素本体Ｃ２１２とをそれぞれ有する。両ガイド要素Ｃ２１、Ｃ２１のガイド要素本体Ｃ２１２、Ｃ２１２間の距離は、このガイド要素Ｃ２１の一端から他端に向かうにつれ漸次増大するようにしている。ここで、前記案内突起１ｔと前記案内凹部Ｃ２１１ａとの係合の態様を図２３に示す。
【００７２】
この転写装置を用いて長尺杆Ｒに糊を転写する際の操作を以下に示す。
【００７３】
まず、ガイド要素Ｃ２１、Ｃ２１間に長尺杆Ｒを配置する。それから、左右のガイド要素Ｃ２１、Ｃ２１が長尺杆Ｒに当接する位置まで長尺杆Ｒを移動させるとともに、転写具１を該転写具１の転写ヘッド１２が長尺杆に当接する位置まで移動させる。それから、長尺杆Ｒを軸心方向に移動させると、転写ヘッド１２にテープが順次繰り出され、糊が順次転写される。その際、左右のガイド要素Ｃ２１、Ｃ２１が長尺杆Ｒに当接した状態を保ち、長尺杆Ｒを軸心方向に向けて移動させるべくガイドする。
【００７４】
本実施形態に係る構成によっても、長尺杆Ｒに糊を転写するためのテープを順次転写ヘッドの先端に持ち来す転写具１と、この転写具１を挿脱可能に保持する基体と、この転写具１の転写ヘッドに対して前記長尺杆Ｒを軸心方向に相対移動させるべく案内するためのガイド部材Ｃ２とを具備してなるので、ガイド部材Ｃ２により長尺杆Ｒを軸心方向に相対移動させるべく案内し、糊を確実に長尺杆Ｒの軸心方向に沿って転写させることができる。
【００７５】
また、本実施形態でも、１対のガイド要素Ｃ２１、Ｃ２１をそれぞれ長尺杆Ｒに当接させてなるサイドガイドをガイド部材Ｃ２としているので、１対のガイド要素Ｃ２１、Ｃ２１をそれぞれ長尺杆Ｒに当接させた状態で長尺杆Ｒを移動させることにより、長尺杆Ｒの移動方向を該長尺杆Ｒの軸心方向に確実にガイドさせることができる。
【００７６】
さらに本実施形態では、前記１対のガイド要素Ｃ２１、Ｃ２１間の距離を一端から他端に向かい漸次増大させて前記ガイド部材Ｃ２を形成しているので、前記１対のガイド要素Ｃ２１、Ｃ２１がいずれも長尺杆Ｒに当接する位置に長尺杆Ｒを配することにより、種々の径の長尺杆Ｒの移動方向のガイドを行うことができる。
【００７７】
加えて本実施形態では、転写具案内部Ｃ２１１内に、前記転写具１の案内突起１ｔを収納可能な案内溝２１１ｍ、及びこの案内溝２１１ｍ内に設けてなり前記案内突起１ｔに凹凸係合可能な案内凹部Ｃ２１１ａを設けているので、転写具１の位置を調整する際に、転写具の移動方向をガイドしつつ、長尺杆Ｒの直径に対応する位置に転写具１を係止しておくことができる。
【００７８】
なお、本発明は以上に述べた実施態様に限られない。
【００７９】
例えば、ガイド部材がガイドローラである場合に、このガイドローラと転写ヘッドとの間を接離させる機構は、ねじ送り機構を利用したものに限らず、例えば、ガイドローラを転写ヘッドの上方に配するとともにこのガイドローラを昇降可能にガイドするガイド機構を設け、ガイドローラを手動で昇降させてガイドローラと転写ヘッドとの間に長尺杆を位置させるようにし、ガイドローラ及び該ガイドローラを支持するガイドローラ支持部の自重によりガイドローラを長尺杆に当接する位置に移動させる態様も考えられる。
【００８０】
さらに、ガイドローラ支持部の支柱の一方の上要素を下要素に蝶着する代わりに、ガイドローラ支持部の支柱の上要素より上方の部分を、ガイドローラ支持部の支柱の下要素及びベース部材に対して脱着可能に構成する態様を採用してもよい。
【００８１】
また、前記第一、第二実施形態において、ガイドローラをＶ字型に２個配置する代わりに、３個以上のガイドローラを、Ｖ字状ないしＵ字状をなすように配置し、谷間の部位に長尺杆を位置させるようにしてももちろんよい。
【００８２】
加えて、上述した第三実施形態において、サイドガイドに加え、長尺杆の転写ローラに当接する部位と１８０度逆位相の部位に当接させてなる下ガイド部材を設けてもよい。
【００８３】
そして、図示したような円筒状の長尺杆に限らず、角パイプ状等、他の形状の長尺杆への糊の転写にもこのような転写装置を用いてももちろんよい。
【００８４】
その他、本発明の趣旨を逸脱しない範囲で種々変形が可能である。
【図面の簡単な説明】
【００８５】
【図１】本発明の第一実施形態に係る転写装置を示す全体斜視図。
【図２】同実施形態に係る転写装置を示す側面図。
【図３】同実施形態に係る転写装置を示す正面図。
【図４】同実施形態に係る転写装置を示す要部の拡大斜視図。
【図５】同実施形態に係る転写装置のベースを取り外した状態を示す側面図。
【図６】同実施形態に係る転写装置のベースを取り外した状態を示す正面図。
【図７】同実施形態の変形例に係る転写装置を示す正面図。
【図８】同実施形態の変形例に係る転写装置の使用態様を示す図。
【図９】同実施形態の変形例に係る転写装置を示す正面図。
【図１０】同実施形態の変形例に係る転写装置を示す側面図。
【図１１】同実施形態の変形例に係る転写装置のガイド補助機構を示す概略図。
【図１２】本発明の第二実施形態に係る転写装置を示す正面図。
【図１３】同実施形態に係る転写装置を示す側面図。
【図１４】同実施形態に係る転写装置を示す平面図。
【図１５】同実施形態の変形例に係る転写装置を示す図。
【図１６】本発明の第三実施形態に係る転写装置の要部を示す図。
【図１７】同実施形態に係る転写装置を示す側面図。
【図１８】同実施形態の変形例に係る転写装置の要部を示す図。
【図１９】同実施形態の変形例に係る転写装置を示す側面図。
【図２０】本発明の第四実施形態に係る転写装置の側面図。
【図２１】同実施形態に係る転写装置を示す底面図。
【図２２】同実施形態に係る転写具を示す図。
【図２３】同実施形態に係る転写具の案内突起とガイド部材の案内凹部との係合の態様を示す図。
【符号の説明】
【００８６】
Ｔ１、Ｔ１１、Ｔ１２、Ｔ２、Ｔ２１、Ｔ３、Ｔ３１、Ｔ４…転写装置
１…転写具
２、Ａ２…基体
３、Ａ３…ガイドローラ（ガイド部材）
Ｂ２、ＢＢ２、Ｃ２…ガイド部材
【図１】
2008265034.tif 000003
【図２】
2008265034.tif 000004
【図３】
2008265034.tif 000005
【図４】
2008265034.tif 000006
【図５】
2008265034.tif 000007
【図６】
2008265034.tif 000008
【図７】
2008265034.tif 000009
【図８】
2008265034.tif 000010
【図９】
2008265034.tif 000011
【図１０】
2008265034.tif 000012
【図１１】
2008265034.tif 000013
【図１２】
2008265034.tif 000014
【図１３】
2008265034.tif 000015
【図１４】
2008265034.tif 000016
【図１５】
2008265034.tif 000017
【図１６】
2008265034.tif 000018
【図１７】
2008265034.tif 000019
【図１８】
2008265034.tif 000020
【図１９】
2008265034.tif 000021
【図２０】
2008265034.tif 000022
【図２１】
2008265034.tif 000023
【図２２】
2008265034.tif 000024
【図２３】
2008265034.tif 000025